(57)【要約】      （修正有）【課題】排水の必要がなく、水遣りの不能期間が長時間続いた場合でも土壌に適度な湿気保ち、花木を枯らせることのない花木飾り用額縁を提供する。【解決手段】窓部１１を備えた額枠１２の後面側であって、その下縁部底部に花木載置用の載置板１３と、この載置板の両端部に上記窓部の両側開口縁と接する左右の側枠１４を取り付け、これら側枠の後端の上下位置に該両側枠を繋ぐ上下の支持板１５，１６を取り付けてなる花木飾り用の額縁において、上記額枠１２の後面側の上記窓部１１の上部開口縁位置で上記左右の側枠間に上部底板１７を渡してこの上部底板と上記両側枠１４と上記額枠１２及び上支持板１５とで給水源載置部１９を形成し、該給水源載置部には取り外し可能な給水容器（２０，２４）を配置するとともに、上記載置板上には取り外し可能な受水兼用植木鉢２１を配置し、上記給水容器と該受水兼用植木鉢とを導水部材（２２，２５）で繋げた。【選択図】図１
0003141095.tif 000002
【実用新案登録請求の範囲】
【請求項１】
窓部を備えた額枠の後面側であって、その下縁部底部に花木載置用の載置板と、この載置板の両端部に上記窓部の両側開口縁と接する左右の側枠を取り付け、これら側枠の後端の上下位置に該両側枠を繋ぐ上下の支持板を取り付けてなる花木飾り用の額縁において、上記額枠の後面側の上記窓部の上部開口縁位置で上記左右の側枠間に上部底板を渡し、この上部底板と上記両側枠と上記額枠及び上支持板とで給水源載置部を形成し、該給水源載置部には取り外し可能な給水容器を配置するとともに、上記載置板上には取り外し可能な受水兼用植木鉢を配置し、上記給水容器と該受水兼用植木鉢とを導水部材で繋げたことを特徴とする花木飾り用額縁。
【請求項２】
上記導水部材が、導水ひもである請求項１に記載の花木飾り用額縁。
【請求項３】
上記導水部材がチューブである請求項１に記載の花木飾り用額縁。
【請求項４】
上記チューブには、途中に導水調整具が取り付けられている請求項３に記載の花木飾り用額縁。
【請求項５】
上記給水容器が注水口付きの給水タンクにより構成されている請求項１又は請求項３若しくは請求項４のいずれかに記載の花木飾り用額縁。
【考案の詳細な説明】
【技術分野】
【０００１】  本考案は、過度の水遣りによる排水を配慮する必要のない花木飾り用額縁の改良に関するものである。
【背景技術】
【０００２】  額縁を利用し、あるいは額縁状に成形し、その後面側の底部位置に、花木用の鉢箱を形成したり、植木鉢や花瓶を載置する載置スペースを形成して、そこに花木を直接植えるか、花木を植えた鉢や生けた花瓶を置き、額縁の開口部から花の部分を額縁外に出して絵画的に観賞するようにした花木飾り用額縁が多々提案されている。例えば、実用新案登録第３１２０８７８号公報（特許文献１）には、額枠の後面側底部に鉢箱（容器）を取り付け、この鉢箱の底に排水孔を形成し、注水量が多すぎた場合にその水を排水孔から滴下させて、底部分の腐りを防ぐといった例が示されている。
【特許文献１】実用新案登録第３１２０８７８号公報
【考案の開示】
【考案が解決しようとする課題】
【０００３】  ところが、上記の花木飾り用額縁では、水遣りが多すぎた場合の排水に重点が置かれ、肝心の給水については触れられていないため、例えば、数日間家を空けるといった水遣りの出来ない期間がある場合、最悪の場合には土壌が乾燥して花木を枯らしてしまうといった事態をも招来することになる。【０００４】  本考案は、上記の問題点に鑑み、排水の必要がなく、水遣りの不能期間が長時間続いた場合でもその間に緩やかな給水を行なって土壌に適度な湿気保ち、花木を枯らせることのない花木飾り用額縁を提供することを目的としている。
【課題を解決するための手段】
【０００５】  上記目的を達成する本考案は、窓部を備えた額枠の後面側であって、その下縁部底部に花木載置用の載置板と、この載置板の両端部に上記窓部の両側開口縁と接する左右の側枠を取り付け、これら側枠の後端の上下位置に該両側枠を繋ぐ上下の支持板を取り付けてなる花木飾り用の額縁において、上記額枠の後面側の上記窓部の上部開口縁位置で上記左右の側枠間に上部底板を渡し、この上部底板と上記両側枠と上記額枠及び上支持板とで給水源載置部を形成し、該給水源載置部には取り外し可能な給水容器を配置するとともに、上記載置板上には取り外し可能な受水兼用植木鉢を配置し、上記給水容器と該受水兼用植木鉢とを導水部材で繋げた特徴とする花木飾り用額縁である。
【考案の効果】
【０００６】  本考案によれば、給水源載置部に配置した給水容器内の水が、導水部材を経由してやがて受水兼用植木鉢に徐々に供給されることになる。したがって、過度な注水に起因する排水の必要がなくなり、水遣りの不能期間が長時間続いた場合でもその間に緩やかな給水が行なわれ、土壌には常に湿気が保たれるので、花木を枯らせるような事態を防ぐことができる。
【考案を実施するための最良の形態】
【０００７】  導水部材としては、不織布製のひもやチューブが好ましいが、これに限られず、給水容器からの水が徐々に受水兼用植木鉢に供給される部材であればよい。チューブには、途中に導水調整具を取り付けるのが好ましい。この導水調整具により、チューブ内の水の流れを制御することで、より確実な給水が可能となる。また、給水容器を給水口付きの給水タンクとし、これにチューブを接続しておけば、水の補充作業が容易となる。
【実施例】
【０００８】  以下に、本考案の好ましい実施例を図面に基づいて説明する。本考案による花木飾り用額縁本体１０は、中央部に窓部１１を備えた額枠１２、この額枠１２の後面側で、下縁部底部に取り付けられた載置板１３、左右の側枠１４、上下の支持板１５，１６及び上部底板１７からなる。左右の側枠１４は、載置板１３の両端部上で窓部１１の両側開口縁と接する位置に補助木１８によって取り付けられている。そして、この左右の側枠１４を支持するため、その後端部の上部位置では上支持板１５が、下部位置では下支持板１６が、左右の側枠１４，１４を繋げて取り付けられている。【０００９】  上部底板１７は、窓部１１の上部開口縁位置で左右の側枠１４，１４間に渡されており、この上部底板１７と額枠１２、左右の側枠１４及び上支持板１５とで、給水源載置部１９を形成している。なお、上部底板１７は、底部を塞がないようにして取り付けられるのが好ましい。【００１０】  給水源載置部１９には、給水容器となる給水槽２０が取り外し可能な状態で配置され、下部の載置板１３上には、受水兼用植木鉢２１が同じく取り外し可能な状態で配置されており、上記給水槽２０とこの受水兼用植木鉢２１とは、導水部材となる導水ひも２２で繋がっている。この導水ひも２２は不織布製が好ましいが、これに限られるものではない。そして、給水槽２０内に張った水は、導水ひも２２を伝わって徐々に受水兼用植木鉢２１へと供給される仕組みになっている。なお、給水槽２０のサイズに制限はなく、給水源載置部１９に入るものであればよい。【００１１】  したがって、受水兼用植木鉢２１に花木を植え、給水槽２０に水を張っておけば、その水は、導水ひも２２に時間をかけて徐々に染み込んだ末、飽和状態になると受水兼用植木鉢２１へと供給されることになるので、水遣りの不能期間が長時間続いた場合でもその間に緩やかな給水が行なわれ、土壌には常に湿気が保たれるので、花木を枯らせるような事態を防ぐことができる。また、過度な注水による排水の必要もなくなる。【００１２】  図３には、本考案の別の実施例が示されている。なお、花木飾り用額縁本体１０は前の実施例と同様なので、図示は省略する。この実施例では、給水容器として蓋２３付きの給水タンク２４が用いられ、この給水タンク２４と受水兼用植木鉢２１とがチューブ２５で繋がれている。そして、このチューブ２５の途中には、チューブ２５内の水の流量を調整する導水調整具２６が取り付けられている。この導水調整具２６により、水の流量調整ができるので、花木に適した確実な給水が可能となる。また、給水容器を給水タンク２４にしたことで、水の補充作業も容易となる。【００１３】  なお、上記の実施例では、額枠１２の外形形状を長方形状とした例を示したが、これに限らず、例えば、菱形、ハート形状その他の形状とすることも可能である。また、花木飾り用額縁本体１０を、上記実施例では木製で説明したが、例えば、プラスチック製、石材製その他の素材で構成してもよい。
【図面の簡単な説明】
【００１４】
【図１】  本考案による花木飾り用額縁の後方斜視図である。
【図２】  本考案による花木飾り用額縁に花木を植えた状態の縦断面図である。
【図３】  本考案による花木飾り用額縁に適用する給水容器と導水部材の他の実施例を示す斜視図である。
【符号の説明】
【００１５】１０  花木飾り用額縁本体
１１  窓部
１２  額枠
１３  載置板
１４  側枠
１５  上支持板
１６  下支持板
１７  上部底板
１９  給水源載置部
２０  給水槽
２１  受水兼用植木鉢
２２  導水ひも
２４  給水タンク
２５  チューブ
２６  導水調整具
【図１】
0003141095.tif 000003
【図２】
0003141095.tif 000004
【図３】
0003141095.tif 000005